(57)【特許請求の範囲】
【請求項１】
折り畳んだシートを収容する矩形状の本体部と、該本体部の外側面の所定箇所に設けられた肩掛けベルトを備え、前記本体部の周囲四辺にはそれぞれマチを介してカバー片が備えられており、前記マチは隣接するマチの端部同士が接続された状態で本体部の周縁部に連結され、前記カバー片は内側に折り曲げると少なくとも隣接するカバー片に対してその一部が重ね合わせ可能であり、前記カバー片の所定箇所には、重ね合わせたカバー片同士を係止する面ファスナが取り付けられ、本体部の内面側に配置されるシートを内側に折り曲げた各カバー片で覆い、カバー片の面ファスナを係合させることで前記シートが収納される収納体とし、前記収納体が折り畳まれる際、折り曲げ箇所に対応するマチには、マチの一部が部分的に切り欠かれる切欠き部が設けられ、この収納体を折り畳んで固定できるようにされることを特徴とするシート収納・運搬具。
【請求項２】
前記収納体の折り畳みは、三つ折りであり、前記切欠き部は最初に折り曲げられる箇所に対応する切欠き部の長さより、二番目に折り曲げる箇所に対応する切欠き部の長さの方が長くなるようにされることを特徴とする請求項１に記載のシート収納・運搬具。
【請求項３】
前記本体部の肩掛けベルトが設けられる箇所には、背板が内蔵されることを特徴とする請求項１又は請求項２に記載のシート収納・運搬具。
【請求項４】
前記カバー片には、収納体を折り畳むことによって重合するカバー片の対向面同士の少なくとも一部を係止する面ファスナが設けられていることを特徴とする請求項１乃至請求項３のいずれか１項に記載のシート収納・運搬具。
【発明の詳細な説明】
【技術分野】
【０００１】
本発明は、例えば松食い虫等の害虫により被害のあった松の枯れ木を燻蒸して害虫を駆除するための燻蒸用シートを枯れ木の伐採現場まで運搬するのに便利なシート収納・運搬具に関する。
【背景技術】
【０００２】
松食い虫等の害虫によって枯死した松が伐採されると、伐採現場において、伐採材に生息する害虫などが拡散しないよう、所定量の伐採材をまとめてこれを所定サイズに裁断した燻蒸シートで覆い、内部を薬剤で燻蒸することにより、害虫を駆除する。燻蒸シートとしては、通常、幅４〜５ｍ、長さ３０ｍ程度の大きなサイズのシートを伐採現場まで運搬し、現場で必要なサイズに裁断して使用することにより数回の作業を連続して行えるようにされている。
【０００３】
運搬初期のシートの重量は１０〜１５ｋｇ程度にも達するため、紙管等に巻いたロール状のシートを担いで燻蒸処理現場まで運搬することは骨の折れる作業であった。
燻蒸用シートを枯れ木の伐採現場まで運搬する運搬用具として、布製等の収納本体の背面部にシートの左右のずれを規制する幅規制部材を設け、左右の幅規制部材の中間部の一定領域を開放部として開放するとともに、幅規制部材の長さ方向の端部を背面部に連結することで、収納本体の背面部に燻蒸用シートを収納できる空間部を形成し、この空間部内に折り畳んだシートを収容して、収納本体の外側面に設けられた肩掛けベルトによって担いで運搬できるようにした技術（例えば、特許文献１、特許文献２参照。）が知られている。
【先行技術文献】
【特許文献】
【０００４】
【特許文献１】特開２０１０−２３８９２号公報
【特許文献２】特開２０１０−２２２９９号公報
【発明の概要】
【発明が解決しようとする課題】
【０００５】
上記技術の場合、従来のように燻蒸用シートを紙管等に巻いたロール状のものを肩に担いで運搬する方法に較べて、運搬性は良好なものの、保形性やコンパクト性に更に改良の余地があった。
また、背面部の空間部に燻蒸用シートを収納したり取り出したりする際も、幅規制部材が背面部に固定されており、しかも、左右の幅規制部材で挟まれる狭い開放部を通して燻蒸用シートを出し入れしなければならないため、収納、取出しに労を要するという問題もあった。
【０００６】
そこで本発明は、折り畳んだシートを収納し、運搬する用具として、運搬時の保形性を良好にするとともに、更なる小型化を図り、しかも、シートの出し入れが容易に行えるようにすることを目的とする。
【課題を解決するための手段】
【０００７】
上記目的を達成するため本発明は、折り畳んだシートを収容する矩形状の本体部と、該本体部の外側面の所定箇所に設けられた肩掛けベルトを備え、前記本体部の周囲四辺にはそれぞれマチを介してカバー片が備えられており、前記マチは隣接するマチの端部同士が接続された状態で本体部の周縁部に連結され、前記カバー片は内側に折り曲げると少なくとも隣接するカバー片に対してその一部が重ね合わせ可能であり、前記カバー片の所定箇所に、重ね合わせたカバー片同士を係止する面ファスナを取り付け、本体部の内面側に配置される前記シートを折り曲げた各カバー片で覆い、カバー片の面ファスナを係合させることでシートが収納される収納体とし、前記収納体が折り畳まれる際、折り曲げ箇所に対応するマチには、マチの一部が部分的に切り欠かれる切欠き部を設け、この収納体を複数折りに折り畳んで固定できるようにした。
【０００８】
そして、矩形状の本体部の内面側に折り畳んだシートを配置し、このシートの周囲を、各辺の四枚のカバー片で覆って面ファスナで固定するようにすれば、シートを収納する空間部を大きく開放できるため作業が極めて容易になる。
また、収納体を複数折りに折り畳んで固定することで、小型化が図れるとともに、運搬時の保形性を良好にできる。
【０００９】
本発明においては、前記本体部の周囲四辺に備えられる各カバー片は、マチを介して連設されている。ここで、マチのマチ幅は、折り畳んだシートの厚み程度にしておけば好適である。また、マチは、本体部の四辺それぞれに独立して設けられてもよいが、本発明では、四辺のマチが連続するように設けている。四辺のマチが接続する場合は、本体部とマチとで浅い箱状となるため、本体部に配置される折り畳んだシートがずれにくい効果を奏する。
【００１０】
また本発明では、前記収納体が折り畳まれる際、折り曲げ箇所に対応するマチに、マチの一部が部分的に切り欠かれる切欠き部を設けることが好ましい。
このような切欠き部を設けることにより、収納体の折り畳みが容易となり、また折り曲げ箇所のマチにしわ等が発生しないため綺麗に折り曲げることができる。
なお、前記収納体の折り畳みを、三つ折りとし、前記切欠き部は最初に折り曲げられる箇所に対応する切欠き部の長さより、二番目に折り曲げる箇所に対応する切欠き部の長さの方が長くなるようにすれば好適である。
【００１１】
また本発明では、前記本体部の肩掛けベルトが設けられる箇所に、背板を内蔵することが好ましい。
このように、背板を内蔵することにより、運搬時に安定した状態を保つことができる。
ここで、背板としては、剛性を有するもので運搬中の収納体の保形性が崩れるのを防止できるものであればよい。
【００１２】
また本発明では、カバー片に、収納体を折り畳むことによって重合するカバー片の対向面同士の少なくとも一部を係止する面ファスナが設けられていること好ましい。
このように、収納体を折り畳んだ際、重合するカバー片の対向面同士の少なくとも一部を面ファスナで係止することにより、運搬中に重合状態がずれて折り畳みの形状が崩れることがなく、保形性が良好となる。
【発明の効果】
【００１４】
折り畳んだシートを収容する矩形状の本体部の周囲四辺に、マチを介してカバー片を設け、本体部の内面側に配置されるシートの周囲をカバー片で覆って固定できるようにすることで、収納空間部内へのシートの出し入れを容易に行うことができ、また収納体を折り畳んで固定することで、コンパクト化が図られ、保形性も向上する。特に、三つ折りにした場合などには、一層の小型化が可能であり、山間部等の狭い山道においても移動が容易となる。
また、マチを介してカバー片が本体部に連設し、隣接するマチの端部同士が接続された状態で本体部の周縁部に連結されているため、本体部の内面側に配置されるシートがずれにくくなり、形が安定する。
加えて、折り曲げ箇所に対応するマチに切欠き部を設け、この切欠き部として、最初に折り曲げられる箇所に対応する切欠き部の長さより、二番目に折り曲げる箇所に対応する切欠き部の長さの方が長くなるようにすることで、収納体を折り畳む際、折り曲げが容易となり、本体部の所定箇所に背板を内蔵することで、保形性に優れ、楽に背負って運搬できるようになる。
さらに、カバー片に、収納体を折り畳むことによって重合するカバー片の対向面同士を係止する面ファスナを設けることにより、運搬時の保形性が良好となる。
【図面の簡単な説明】
【００１５】
【図１】本発明に係る三つ折り用のシート収納・運搬具の展開したものを内面側から見た説明図である。
【図２】本発明に係る三つ折り用のシート収納・運搬具の展開したものを外面側から見た説明図である。
【図３】本シート収納・運搬具に折り畳んだシートを収納する直前の状態を示す説明図である。
【図４】本シート収納・運搬具に折り畳んだシートを載せた状態を示す説明図である。
【図５】本体部の短辺側のカバー片を折り曲げて折り畳んだシートの一部を覆った状態の説明図である。
【図６】本体部の長辺側のカバー片を折り曲げて折り畳んだシートの一部を覆った状態の説明図である。
【図７】収納体を長さ方向に１／３折り畳んだ状態の説明図である。
【図８】収納体の残り１／３を折り畳んだ状態の説明図である。
【図９】本シート収納・運搬具を背負った状態の説明図である。
【図１０】二つ折り構造のシート収納・運搬具を展開したものを内面側から見た説明図である。
【図１１】二つ折り構造のシート収納・運搬具を展開したものを外面側から見た説明図である。
【図１２】二つ折り構造のシート収納・運搬具に折り畳んだシートを載せてカバー片で覆った状態の説明図である。
【発明を実施するための形態】
【００１６】
本発明の実施の形態について添付した図面に基づき説明する。
本発明に係るシート収納・運搬具は、例えば１０〜１５ｋｇ程度の重量のある燻蒸用シートを山などの伐採箇所に運搬するにあたり、運搬時の保形性が良好でコンパクト化が図られ、しかも、シートの出し入れを容易に行うことのできる収納・運搬具として構成されている。
【００１７】
すなわち、このような燻蒸用シートとしては、例えば松食い虫等の害虫によって枯死した松が伐採されると、伐採現場において、伐採材に生息する害虫などが拡散しないよう所定量の伐採材をまとめ、所定サイズに裁断した燻蒸シートで覆い、内部を薬剤で燻蒸することにより、害虫を駆除できるようなシートとして構成される。通常、幅４〜５ｍ、長さ３０ｍ程度の大きなサイズのシートを用意して現場まで運搬し、現場で必要なサイズに裁断して使用することにより数回の作業を連続して行えるようにされている。
【００１８】
本発明のシート収納・運搬具１は、図１、図２に示すように、折り畳んだシートを収容する矩形状の本体部２と、この本体部２の周囲四辺にそれぞれカバー片４を備えており、これら本体部２やカバー片４は、通常のバッグやリュックサック等に使用される折り曲げ可能で引裂き強度等に優れた材料（例えば、帆布や各種シート類等）から構成されている。
以下の説明では、図１に示す展開状態のシート収納・運搬具１の上面を内面側と称し、その裏側の図２に示す展開状態の上面を外面側と称する。
なお、以下の説明における「シートＳ」は、「長尺のシートを折り畳んだもの」であり、「シートＳの厚さ」はシート自体の厚さではなく、シートを折り畳んだ折り畳み厚み」のことを指す。
【００１９】
前記本体部２は、長手方向に対して中間部の折り曲げ線ｘ、ｙによって３つの領域Ａ、Ｂ、Ｃに区分けすることが可能であり、本体部２の外面側には、図２に示すように、領域Ａの片側端部寄りに、最終的な荷姿に固定する固定具の一部品である固定ベルト５が設けられ、領域Ａの中央部分に収納部６が設けられており、Ｂ領域に肩掛けベルト７が設けられている。肩掛けベルト７が設けられているＢ領域には、背板（不図示）が内蔵されていると、保形性が良く背負いやすい。
そして、固定ベルト５の両端部には、ベルト雌連結具５ｍが取り付けられ、このベルト雌連結具５ｍに係脱自在な左右一対のベルト雄連結具５ｔが、領域Ｂの幅方向両端部の折り曲げ線ｙ近傍に設けられている。
【００２０】
また、領域Ａの折り曲げ線ｘの近傍の幅方向両端部には、左右一対の雌連結具８ｍが設けられるとともに、領域Ｂの折り曲げ線ｘ近傍の幅方向両端部には、左右一対の雄連結具８ｔが設けられ、雌連結具８ｍと雄連結具８ｔは係脱自在にされている。
そして、これら固定ベルト５と、ベルト雌雄連結具５ｍ、５ｔと、その他の雌雄連結具８ｍ、８ｔと、後述するカバー片４の面ファスナ１１ａ、１１ｂによって、後述する収納体１３を折り畳んで最終的な荷姿に固定するための固定具が構成されている。
【００２１】
また、本体部２の長手方向の両端部には、図２に示すような把手９を設けており、後述する収納体１３を折り畳む作業を楽に行えるようにしている。
なお、前記収納部６は、ファスナｆによって開閉自在な収納部と、その表面にメッシュ部材Ｍで形成されるポケット部を備えている。
【００２２】
カバー片４は、マチ３を介して本体部２に連接されると、後述するシートＳの厚みをカバーすることができるため、保形性に優れ好ましい。マチ３は、収納されるシートＳの厚みとほぼ同一程度の幅とされる。マチ３は、本体部の四辺にそれぞれ独立して設けられていてもよいし、四辺のマチ３が接続するように設けられてもよい。四辺のマチ３が接続するように設けられている場合は、本体部２とマチ３とで箱状となるため、シートＳがずれにくい効果を奏する。本実施例では、四辺のマチ３のうち、隣接するマチ３の端部同士が接続された状態で本体部２の周縁部に連結され、マチ３が、内面側の上方に立ち上がった状態（すなわち浅い箱状）になるようにされている。
【００２３】
そして、このマチ３のうち、折り曲げ線ｘ、ｙに対応する箇所には、部分的に切り欠かれた切欠き部３ｘ、３ｙが設けられることが好ましい。そして、本実施例では、後述する収納体を折り曲げる際、最初に折り曲げる箇所に対応する切欠き部３ｙの切欠き長さより、二番目に折り曲げる箇所に対応する切欠き部３ｘの切欠き長さの方が長くなるようにしている。
この切欠き部３ｘ、３ｙの長さは、収納体１３を三つ折りにする際の折り曲げ厚みと同等であればよい。例えば、シートＳの厚みが５ｃｍの場合、最初に折り曲げる箇所に対応する切欠き部３ｙの長さは８〜１５ｃｍ、二番目に折り曲げる箇所に対応する切欠き部３ｘの長さは１２〜２０ｃｍが好適である。このような切欠き部３ｘ、３ｙを設けると、収納体を折り曲げる際に、折り畳み箇所にマチの生地が集中しないため、折り畳みをスムーズに行わせるのに効果的である。
【００２４】
前記カバー片４は、本体部２の長辺側の長辺側カバー片４ａと本体部２の短辺側の短辺側カバー片４ｂから構成されており、長辺側カバー片４ａの内面側の両側端部寄りには、図１に示すように、カバー片４同士を結合するための面ファスナ１０ａが取り付けられ、この面ファスナ１０ａが、以下に述べる短辺側カバー片４ｂの外面側の面ファスナ１０ｂ（図２）と係脱自在にされている。
【００２５】
短辺側カバー片４ｂの外面側には、図２に示すように、前記した面ファスナ１０ｂが取り付けられ、短辺側カバー片４ｂと長辺側カバー片４ａを共に内面側に向けて折り曲げると、隣接するカバー片４の面ファスナ１０ａ、１０ｂ部分が重なり合うようにしている。
【００２６】
また、長辺側カバー片４ａの外面側には、図２に示すように、本体部２の領域Ｂ、Ｃに対応する箇所にそれぞれ面ファスナ１１ａ、１１ｂを設けており、後述する収納体１３を長手方向に折り畳んだ際に、これら面ファスナ１１ａ、１１ｂ同士が係着するようにしている。
そして、前記したように、これら面ファスナ１１ａ、１１ｂも、収納体１３を折り畳んで最終的な荷姿にする際にその姿勢を固定する固定具の一部品である。
【００２７】
更に、長辺側カバー片４ａの長手方向の中央部には、外側に向けて延出する一対の締結具１２ａ、１２ｂが設けられており、両者は締結自在にされている。
【００２８】
以上のようなシート収納・運搬具１の作用等について説明する。
図３に示すように、シート収納・運搬具１の内面側を上向きにして広げ、本体部２のサイズとほぼ同一のサイズに折り畳んだシートＳを本体部２上に配置し、図４のようにセットする。この際、図示しないが、シートＳは本体部２とマチ３とによって包み込まれた状態となることが好ましい。
【００２９】
次いで、図５に示すように、短辺側カバー片４ｂを折り曲げてシートＳの上面に被せ、更に、図６に示すように、長辺側カバー片４ａをシートＳに向けて折り曲げてシートＳや短辺側カバー片４ｂの上に被せ、面ファスナ１０ａ、１０ｂ同士を係着させ、締結具１２ａ、１２ｂを締結する。すると、図６に示すようなシートＳが包み込まれた収納体１３が形成される。
【００３０】
次に、図７に示すように、把手９を利用して折り曲げ線ｙ部分で本体部２の領域Ｃを領域Ｂの上に被せるように折り畳み、面ファスナ１１ａ、１１ｂ同士を係着させる。
この際、マチ３の切欠き部３ｙによって折り曲げ線ｙ部分で綺麗に折り畳むことができ、しかも把手９を利用することにより、シートＳの折り畳みに力が必要な場合でも、比較的楽に折り畳むことができる。
【００３１】
その後、図８に示すように、折り曲げ線ｘ部分で本体部２の領域Ａを領域Ｃの上に被せるように折り畳む。この際も、最初の折り畳みと同様に、マチ３の切欠き部３ｘにより、折り曲げ線ｘ部分で綺麗に折り畳むことができる。最後に、固定ベルト５の雌雄の連結具５ｍ、５ｔや、その他の雌雄の連結具８ｍ、８ｔを連結することで最終的な荷姿となる。
【００３２】
以上のような折り畳みが完了した収納体１３を肩掛けベルト７を介して背負った状態は、図９の通りであり、収納体１３を二つ折りにする場合に較べて、一層の小型化が図られるとともに、全体の保形性が良い。特に、図９に示す状態で運搬中、収納体１３の折り畳みの中間層となる領域Ｃの部分と、人体の背中に当接する領域Ｂの部分とが、面ファスナ１１ａ、１１ｂで係着されているため、領域Ｃの部分がずり落ちるような不具合がなく、保形性は極めて良好である。
【００３３】
次に、本体部２を二つ折りにする場合の構成について、図１０乃至図１２に基づいて簡単に説明する。なお、この場合も、前記と同様な部品等には同一の番号を付す。
このシート収納・運搬具１も、矩形状の本体部２と、この本体部２の周囲四辺に四枚のカバー片４を備えており、前記本体部２は、長手方向に対して中央部の折り曲げ線ｚによって二つ折り可能とされる。前述の三つ折りと同様に、カバー片４はマチ３を介して本体部２に連接されることが好ましい。一方側の領域には、背板が内蔵されることが好ましく、背板が内蔵された本体部２の外面側には、図１１に示すように、肩掛けベルト７が設けられている。
【００３４】
そして、この場合の三つ折り構造との違いは、長辺側カバー片４ａの外面側に設けられる面ファスナ１４ａ、１４ｂ、１５ａ、１５ｂであり、三つ折り構造の面ファスナ１１ａ、１１ｂの位置とは異ならせている。
また、マチ３の切欠き部３ｚは、長手方向中間部の折り曲げ線ｚに対応する位置に設けている。
【００３５】
そして、図１２に示すようなシートＳを収納した収納体１３を二つ折りにした際に、各面ファスナ１４ａ、１４ｂ、１５ａ、１５ｂ同士を係着させ、最終的な荷姿に折り畳んだ際、保形性が良好になるようにしている。
【００３６】
以上のような三つ折りや二つ折りの構造において、シート収納・運搬具１からシートＳを取り出したり、収納したりする場合に、各カバー片４を大きく開いて作業できるため、作業が容易であり、しかも、より小型化することが可能で、更に、最終的な荷姿の保形性を良好にできるため、運搬がより便利となる。
【００３７】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、収納・運搬具の材質等は任意である。
また、カバー片４について、折り曲げた際に長辺側カバー片４ａが上になるような構成で説明したが、もちろん、短辺側カバー辺４ｂが上になるように折り曲げる構成でも差し支えない。
【産業上の利用可能性】
【００３８】
例えば松食い虫等の害虫駆除用の燻蒸シートを伐採現場まで運搬する際、全体がコンパクトに纏まって、運搬時の保形性も良好なため、今後の広い普及が期待される。
【符号の説明】
【００３９】
１…シート収納・運搬具、２…本体部、３…マチ、３ｘ、３ｙ、３ｚ…切欠き部、４…カバー片、７…肩掛けベルト、１０ａ、１０ｂ…面ファスナ、１１ａ、１１ｂ、１４ａ、１４ｂ、１５ａ、１５ｂ…固定具としての面ファスナ、１３…収納体、Ｓ…シート。
【図１】
0005637804.tif 000002
【図２】
0005637804.tif 000003
【図３】
0005637804.tif 000004
【図４】
0005637804.tif 000005
【図５】
0005637804.tif 000006
【図６】
0005637804.tif 000007
【図７】
0005637804.tif 000008
【図８】
0005637804.tif 000009
【図９】
0005637804.tif 000010
【図１０】
0005637804.tif 000011
【図１１】
0005637804.tif 000012
【図１２】
0005637804.tif 000013